(57)【要約】【課題】乾燥処理装置における昇温処理を効率よく行うことが可能な写真処理装置を提供する。【解決手段】乾燥処理装置６０において、印画紙Ｐを搬送方向へ搬送する搬送部６１と、搬送部６１により搬送されてきた印画紙Ｐを乾燥させる乾燥風を送り出す送風ファン７１と、送風ファン７１によって送り出された乾燥風を、搬送されてくる印画紙Ｐに対して吹き付けるスリット７４と、スリット７４のスリット幅を変化させるスライド７５と、昇温時において、スリット幅を小さくするようにスライド７５を制御し、かつ回転数を下げるように送風ファン７１を制御する制御部８０とを備える。【選択図】図３
2007233145.tif 000002
【特許請求の範囲】
【請求項１】
感光材料を搬送方向へ搬送する搬送部と、
前記搬送部により搬送されてくる前記感光材料を乾燥させる乾燥風を送り出す送風ファンと、
前記送風ファンによって送り出された前記乾燥風を、前記搬送されてくる感光材料に対して吹き出す開口部と、
前記開口部の開口面積を変化させる開口調整部と、
昇温時において、前記開口面積を小さくするように前記開口調整部を制御し、かつ回転数を下げるように前記送風ファンを制御する制御部と、
を備えている、乾燥処理装置。
【発明の詳細な説明】
【技術分野】
【０００１】
本発明は、印画された感光材料を乾燥させるための乾燥処理装置に関する。
【背景技術】
【０００２】
感光材料に現像処理を施して画像形成する写真処理装置では、その乾燥処理装置によって、現像処理後の感光材料にさらに乾燥処理を施してから印画を終了する。近年では、写真処理装置を小型化するために、乾燥処理を行う乾燥処理装置が現像処理などを行う処理槽ユニットの上部に設置されている場合もある。
通常、写真処理装置を起動した際には、乾燥処理装置を所定の温度まで昇温させるプレヒート処理が行われる。また、乾燥処理中の温度調整の際にも、乾燥処理装置を昇温させる処理が必要になる。これらの昇温処理は、写真処理装置の処理効率を高めるために、できるだけ短時間で行われることが望ましい。
【０００３】
このために、例えば、乾燥処理装置内の圧力調整のために設けられている外気取り入れ口を、感光材料が乾燥処理装置に到達するまでの間は遮蔽するような制御を行う写真処理装置が提案されている（特許文献１参照）。
【特許文献１】特開２０００−６６３５８号公報（平成１２年３月３日公開）
【発明の開示】
【発明が解決しようとする課題】
【０００４】
しかしながら、上記従来の写真処理装置では、以下に示すような問題点を有している。
通常、乾燥処理装置における感光材料の乾燥は、ヒータで加熱した空気を送風ファンから送り出し、この空気を印画紙に吹き付けることで行われる。このような装置では、乾燥処理を効率よく行うために、感光材料を乾燥させたことにより温度が低下した空気を循環させ、再度加熱して使用するようになっている。同時に、乾燥処理装置に設けられた外気取り入れ口から乾燥処理装置内に外気を取り入れて、乾燥処理装置内の圧力の調整も行っている。
【０００５】
そのため、上記写真処理装置のように、乾燥処理装置内の昇温の際に外気取り入れ口を遮蔽すると、乾燥処理装置内を循環する空気量が絶えず一定となるため、送風ファンの近傍で差圧が発生する。そして、送風ファンに負荷がかかって回転数が増すため、乾燥処理装置の騒音が大きくなる。特に、乾燥処理装置を処理槽ユニットの上部に配置した構成では、乾燥処理装置も小型化されるため、送風ファンの回転数増大の影響による騒音が顕著になる。
【０００６】
そこで、本発明は、上記課題を解決し、乾燥処理装置における昇温処理を効率よく行うことが可能な写真処理装置を提供することにある。
【課題を解決するための手段】
【０００７】
第１の発明に係る乾燥処理装置は、搬送部と、送風ファンと、開口部と、開口調整部と、制御部とを備えている。搬送部は、感光材料を搬送方向へ搬送する。送風ファンは、搬送部により搬送されてくる感光材料を乾燥させる乾燥風を送り出す。開口部は、送風ファンによって送り出された乾燥風を、搬送されてくる感光材料に対して吹き出す。開口調整部は、開口部の開口面積を変化させる。制御部は、昇温時において、開口面積を小さくするように開口調整部を制御し、かつ回転数を下げるように送風ファンを制御する。
【０００８】
ここでは、乾燥処理装置の昇温処理時において、送風ファンの回転数を制御する乾燥処理装置を示す。
特許文献１に記載の乾燥処理装置のように、外気を取り込まない状態で昇温処理を続けると、乾燥処理装置内を循環する空気量が絶えず一定となり、送風ファンの近傍で差圧が発生する。その結果、空気を送り出す送風ファンに負荷がかかった状態で、絶えず同じ空気量を処理し続けるため、送風ファンの回転数が増す。すると乾燥処理装置の騒音が大きくなってしまう。
【０００９】
そこで、制御部において、乾燥処理装置内部の昇温時には、開口部の開口面積を小さくして送風ファンの回転数を下げるような制御を行う。
これにより、開口部の開口面積を小さくして昇温時間を短縮しつつ、さらに空気量が絶えず一定としたことで送風ファン近傍に差圧が発生して騒音が生じる場合でも、送風ファンによる騒音を低減することができる。
【００１０】
従って、乾燥処理装置において、騒音を抑えて昇温処理を行うことが可能になる。
【発明の効果】
【００１１】
第１の発明に係る写真処理装置によれば、騒音を抑えて昇温処理を行うことが可能になる。
【発明を実施するための最良の形態】
【００１２】
本発明の一実施形態に係る写真プリントシステム（写真処理装置）１について、図１〜図５を用いて説明すれば以下の通りである。
［写真プリントシステム１の構成］
本発明の一実施形態に係る写真プリントシステム１は、図１に示すように、いわゆるデジタルミニラボと呼ばれる写真プリントシステムである。
【００１３】
写真プリントシステム１は、操作部２０と、プリント部５０と、を備えている。
操作部２０は、現像された写真フィルムＦやデジタルカメラ等で撮影されたデジタル画像データが保存されたメモリカード等のメディアから画像データを取り込んでプリントデータを作成し、プリント部５０に対して送信する。
プリント部５０は、操作部２０から受信したプリントデータに基づいて、印画紙（感光材料）Ｐ（図２参照）に対して露光処理および現像処理を行って写真プリント画像や、セットアップ用のテストプリントなどを形成する。
【００１４】
［操作部２０の構成］
操作部２０は、図１に示すように、モニタ２１と、キーボード２２と、マウス２３と、コンピュータユニット３０と、メディアリーダ３１と、フィルムスキャナ４０と、を有している。
コンピュータユニット３０は、モニタ２１、キーボード２２、およびマウス２３と接続されており、フィルムスキャナ４０およびプリント部５０に含まれる各部の動作や画像処理および画像データの入出力等の制御を行う。
【００１５】
モニタ２１には、各種制御のためのＧＵＩ（Ｇｒａｐｈｉｃａｌ  Ｕｓｅｒ  Ｉｎｔｅｒｆａｃｅ）や処理対象の画像が表示される。
メディアリーダ３１は、本写真プリントシステム１のコントローラとして機能するコンピュータユニット３０に搭載されており、デジタルカメラ等で撮影された画像のデジタルデータをメモリカードや各種半導体メモリ、ＣＤ−Ｒ等のメディアから取り込む。
【００１６】
フィルムスキャナ４０は、写真フィルムＦに現像された撮影コマに対応する画像をデジタル画像データとして取り込む。
［プリント部５０の構成］
プリント部５０は、図１に示すように、操作部２０から受信したプリントデータに基づいて、印画紙Ｐを搬送しながら印画紙Ｐに対して露光処理および現像処理を行って写真プリント画像を形成する。
【００１７】
プリント部５０は、図２に示すように、内部に２つの印画紙マガジン５１と、シートカッター５２と、バックプリント部５３と、プリント露光部５４と、圧接搬送ローラ対５７と、チャッカー式搬送ユニット５８と、処理槽ユニット５５と、乾燥処理装置６０と、コンベア５６と、ソータ（図示せず）と、を有している。
２つの印画紙マガジン５１は、プリント部５０の内部においてロール状の印画紙Ｐを１個ずつ収納しており、圧接搬送ローラ対５７によって適宜必要な量の印画紙Ｐが引き出される。
【００１８】
シートカッター５２は、印画紙マガジン５１から印画紙Ｐを引き出す複数の圧接搬送ローラ対５７の下流側に配置されており、印画紙マガジン５１から引き出された印画紙Ｐを所望のサイズに切断する。
バックプリント部５３は、シートカッター５２の下流側に配置されており、プリントサイズ等所望のサイズに切断された印画紙Ｐの裏面側に、色補正情報やコマ番号等のプリント処理情報を印刷する。
【００１９】
プリント露光部５４は、バックプリント部５３の下流側におけるチャッカー式搬送ユニット５８に隣接するように配置されており、プリントサイズやテストプリントサイズに切断された印画紙Ｐの表面に対して、プリントする撮影画像の露光を行う。
処理槽ユニット５５は、プリント露光部５４の下流側における複数の圧接搬送ローラ対５７に隣接するように配置されており、発色現像処理液を貯留する発色現像槽５５ａ、漂白定着処理液を貯留する漂白定着槽５５ｂおよび安定処理液を貯留する安定処理槽５５ｃを有している。そして、露光後の印画紙Ｐが、これらの各処理槽５５ａ〜５５ｃをこの順で経由しながら搬送されることで、所望の写真プリント画像やセットアップ用テストプリント画像が印画紙Ｐの表面に形成される。
【００２０】
乾燥処理装置６０は、処理槽ユニット５５の下流側でかつ処理槽ユニット５５の上に戴置されており、現像処理された印画紙Ｐに乾燥処理を施す。乾燥処理装置６０の構成については、後段にて詳述する。
コンベア５６は、プリント部５０の上部に露出しており、写真プリント画像が表面に形成されて乾燥処理後に排出された印画紙Ｐをソータの方向へ搬送する。
【００２１】
ソータは、プリント部５０の前面側に鉛直方向に複数のトレイを並べた状態で配置されており、コンベア５６によって搬送されるプリント済の印画紙Ｐを、例えば、オーダー単位で各トレイに振り分ける。
圧接搬送ローラ対５７と、チャッカー式搬送ユニット５８とは、プリント部５０の内部において、印画紙マガジン５１に収容されたロール状の印画紙Ｐを引き出すとともに、プリントサイズ等に切断された印画紙Ｐを、印画紙Ｐに対して行われる様々な処理に対応した搬送速度で搬送する。圧接搬送ローラ対５７は、２つのローラを組み合わせて構成されており、２つのローラの間の隙間に印画紙Ｐを圧接して回転することで印画紙Ｐを下流側へと搬送する。チャッカー式搬送ユニット５８は、プリントサイズ等に切断された印画紙Ｐの下流側（先端側）の端部を搬送方向における両側からつまむようにして搬送する。
【００２２】
（乾燥処理装置６０の構成）
乾燥処理装置６０では、現像処理された印画紙Ｐを上下方向に搬送しながら乾燥処理が行われる。乾燥処理装置６０は、図３〜図５に示すように、圧接搬送ローラ対（搬送部）６１と、ターンローラ対６２と、搬送ガイド６３と、搬出ローラ対６４と、送風ダクト７２と、外気取り入れ口７６と、シャッタ（遮蔽部）７７と、制御部８０とを有している。
【００２３】
圧接搬送ローラ対６１は、図４に示すように、それぞれ駆動ローラ６１ａと当接ローラ６１ｂとを組み合わせて構成されており、処理槽ユニット５５の直下流側の搬送経路ａに沿って３対配置されている。そして、圧接搬送ローラ対６１は、それぞれ２つのローラ（駆動ローラ６１ａ、当接ローラ６１ｂ）の間隙に印画紙Ｐを挟みこんで駆動ローラ６１ａを回転することで印画紙Ｐを垂直上方の下流側へと搬送する。
【００２４】
ターンローラ対６２は、図４に示すように、上流側から上方に向かって搬送されてくる印画紙Ｐを下方に向かって搬送させるように搬送方向を変化させるためのローラ群であり、駆動ローラ６２ａと複数の従動ローラ６２ｂとを含むように構成されている。
搬送ガイド６３は、図４に示すように、ターンローラ対６２の直下流側に配置されており、印画紙Ｐをターンローラ対６２から受け取って搬送方向を下向きから略水平方向に変更して搬送経路ａに沿って下流側へ搬送する。
【００２５】
搬出ローラ対６４は、図３に示すように搬送ガイド６３の直下流側の搬送経路ａに沿って配置されており印画紙Ｐをコンベア５６に排出するためのローラ対であり、図４に示すように、駆動ローラ６４ａと従動ローラ６４ｂとによって構成されている。また、搬出ローラ対６４は、２つのローラ（駆動ローラ６４ａ、従動ローラ６４ｂ）の間隙に印画紙Ｐを挟み込み、駆動ローラ６４ａを回転させることで印画紙Ｐを下流側の搬出孔６５へ搬出する。そして、印画紙Ｐは、搬出孔６５を通過してコンベア５６（図２参照）へ落下搬送される。
【００２６】
送風ダクト７２は、図３に示すように、熱源部７０と、複数の送風ファン７１と、複数のノズル７３とを含んでおり、乾燥処理装置６０の側面部であって搬送経路ａに面するように配置される。その内部では、熱源部７０で加熱され、送風ファン７１によって送り出される乾燥風が循環している。乾燥風の一部は、各ノズル７３へと誘導される。
熱源部７０は、送風ダクト７２の内部下方に設置されており、複数のノズル７３（後段にて詳述）のうち、印画紙Ｐが搬送される搬送経路ａの最上流側のノズル７３に最も近接して配置されている。熱源部７０は、例えば、ニクロム線などからなるシーズヒータによって周囲の空気を加熱する。
【００２７】
送風ファン７１は、熱源部７０と近接して対向するように配置されている。送風ファン７１が回転することで、熱源部７０からの乾燥風が熱源部７０から熱源部７０の外側を覆っている送風ダクト７２側へ送り込まれる。送り込む乾燥風の量が多いほど、送風ファン７１の回転数が大きくなる。また、送風ダクト７２内の乾燥風の量が一定になる場合も、送風ファン７１の近傍の差圧が大きくなって送風ファン７１に対する負荷が高くなるため、送風ファン７１の回転数が大きくなる。
【００２８】
ノズル７３は、送風ダクト７２の搬送経路ａに面する側の側面部に搬送経路ａに対向するように複数配置されており、搬送経路ａに沿って垂直上方の上流側へ搬送される印画紙Ｐに対して乾燥風を吹き出す。ここでは、ノズル７３の乾燥風吹き出し口は、スリット（開口部）７４を有しており、そのスリット幅はスライド（開口調整部）７５によって調整できる。スリット幅を適宜調整することで、乾燥風の吹き出し量も制御できる。スリット幅の調整は、制御部８０（後段にて詳述）によって行われる。
【００２９】
外気取り入れ口７６は、図３に示すように、送風ダクト７２内に外気を取り込むための開口部である。外気取り入れ口７６から外気を取り込むことで、送風ダクト７２内における差圧が大きくなりすぎることを防ぐ。すなわち、乾燥処理装置内を循環する空気量が絶えず一定である場合に、送風ファンの近傍で差圧が発生して乾燥処理などに支障を来たすことを防ぐ役割を果たす。
【００３０】
シャッタ７７は、図３に示すように、外気取り入れ口７６を塞いで送風ダクト７２内に外気が流入することを防ぐために設けられる。乾燥処理装置６０における処理によっては、乾燥処理装置６０内の温度を迅速に上昇させる必要があるが、外気が乾燥処理装置６０内に流入している状態では、その処理が行えない場合もある。そこで、外気取り入れ口７６にシャッタ７７を設けて、外気の流入を制御することで、各処理に応じた調整を行う。シャッタ７７の開閉調整は、制御部８０（後段にて詳述）によって行われる。
【００３１】
制御部８０は、図３に示すように、熱源部７０近傍に配置される。乾燥処理装置６０のプレヒートなどの昇温処理時において、制御部８０は、図５に示すように、外気取り入れ口７６を塞ぐようにシャッタ７７を制御する。さらに、ノズル７３のスリット７４のスライド７５を制御することで、スリット幅の調整をする。そして、送風ファン７１の回転数の制御を行う。すなわち、乾燥処理装置６０内を昇温させる時には、シャッタ７７で外気取り入れ口７６を塞ぎつつ、スリット７４のスリット幅が小さくなるようにスライド７５を制御し、かつ送風ファン７１の回転数を下げるような制御を行う。
【００３２】
［写真プリントシステム１の特徴］
（１）
本実施形態の写真プリントシステム１における乾燥処理装置６０では、昇温処理時において、制御部８０が、ノズル７３が有するスリット７４の幅が小さくなるようにスライド７５を制御し、さらに送風ファン７１の回転数を制御する役割を果たす。
【００３３】
乾燥処理装置６０の昇温処理時において、ノズル７３が有するスリット７４の幅が小さくなるようにスライド７５を制御すると、必要以上の空気が熱源部７０で加熱されることを防いで乾燥処理装置６０内の昇温が迅速に行われるので、処理時間の短縮にはなる。しかし、送風ファン７１近傍に発生する差圧による送風ファン７１の騒音の問題は残る。
そこで、乾燥処理装置６０内の昇温時には、制御部８０により、さらに送風ファン７１の回転数を下げるような制御を行う。すると、乾燥処理装置６０内の空気量が一定であっても送風ファン７１の回転数を意図的に下げることで、送風ファン７１の近傍の差圧が解消し、送風ファン７１への負荷が減少する。
【００３４】
これにより、乾燥処理装置６０内の昇温処理時において、送風ファン７１による騒音の低減を図ることができる。
従って、乾燥処理装置６０の昇温処理時の騒音を抑えることが可能になる。
（２）
本実施形態の写真プリントシステム１における乾燥処理装置６０では、昇温処理時において、制御部８０が、ノズル７３の先端部分のスリット７４のスリット幅を小さくするように、スライド７５を制御する役割を果たす。
【００３５】
乾燥処理装置６０内を昇温させる時には、昇温時間の短縮が課題となる。印画紙Ｐは、露光および現像処理が施された後、圧縮搬送ローラ対６１によりスリット７４に対向するように搬送されてくる。この印画紙Ｐを乾燥処理する際に用いられる乾燥風と同じ量の空気を熱源部７０で加熱処理して、乾燥処理装置６０の昇温処理を行うのでは、必要以上に乾燥風を循環および加熱することになるため、効率が悪い。
【００３６】
そこで、乾燥処理装置６０内の昇温時には、制御部８０により、スリット７４のスリット幅が小さくなるようにスライド７５を制御する。スリット幅を小さくすることで、送風ダクト７２から吹き出す乾燥風の量を減らして、送風ダクト７２に乾燥風を留まらせるようにすると、必要以上に乾燥風を循環および加熱する必要がない。
これにより、乾燥処理装置６０における昇温時間の短縮を図ることができる。
【００３７】
従って、乾燥処理装置６０の昇温処理を効率よく行うことが可能になる。
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、制御部８０が、熱源部７０近傍に配置されている例を挙げて説明した。しかし、本発明はこれに限定されるものではない。
【００３８】
例えば、制御部８０は、操作部２０（図１および図２参照）に搭載されているものであってもよい。あるいは、操作部２０が有するコンピュータユニット３０において、制御部８０の動作を行ってもよい。
この場合にも、外気取り入れ口７６をシャッタ７７で塞いで、さらにノズル７３が有するスリット７４のスリット幅の調整および送風ファン７１の回転数制御を行うことができる。
【００３９】
従って、上記実施形態同様、乾燥処理装置６０の昇温時間の短縮および騒音の低減を図ることが可能である。
（Ｂ）
上記実施形態では、ノズル７３の乾燥風吹き出し口がスリット７４を有し、スリット幅を調整するためのスライド７５を有している例を挙げて説明した。しかし、本発明はこれに限定されるものではない。
【００４０】
乾燥風の吹き出し量を制御するために吹き出し口の開口面積を調整できるものであれば、他の開口形状を有するものであってもよい。例えば、ノズル７３の乾燥風吹き出し口が、遮蔽部を有する孔などであってもよい。あるいは、ノズル７３の乾燥風吹き出し口は、吹き出し口を絞ることによって、吹き出し口の開口面積を変化させることができるような機構を有していてもよい。この遮蔽部の開閉度合いや吹き出し口の絞り度合いは、制御部８０で制御する。
【００４１】
この場合にも、上記実施形態に係る乾燥処理装置６０と同様の効果を得ることが可能である。
（Ｃ）
上記実施形態では、送風ファン７１は、送風ダクト７２の内部下方に設置された熱源部７０と近接して対向するように配置されている例を挙げて説明した。しかし、本発明はこれに限定されるものではない。
【００４２】
例えば、送風ファン７１を、送風ダクト７２内に、各ノズル７３に近接して対向するように配置してもよい。
この場合には、各ノズル７３から吹き出す温風の流量をノズル７３毎に調整することができる。
従って、印画紙Ｐの種類や、乾燥処理装置６０における印画紙Ｐの搬送速度等に応じてより効率的な乾燥処理を行うことが可能になる。
【００４３】
（Ｄ）
上記実施形態における乾燥処理装置６０においては、さらに温度センサなどを備えていてもよい。
この場合には、昇温時に乾燥処理装置６０内が所定の温度に到達したことを検知することができる。この検知結果を元に、乾燥処理装置６０は、昇温処理から印画紙Ｐの乾燥処理へと移行する。
【００４４】
従って、乾燥処理装置６０の昇温処理をより効率よく行うことが可能になる。
（Ｅ）
上記実施形態および上記他の実施形態（Ａ）では、乾燥処理装置６０内を昇温させる際に、制御部８０がノズル７３におけるスリット７４を小さくするような制御を行う例を挙げて説明した。しかし、本発明はこれに限定されるものではない。
【００４５】
例えば、制御部８０が、スライド７５を用いてスリット７４を全閉するような制御を行う構成であってもよい。
この場合でも、騒音の低減を図ることが可能である。
【産業上の利用可能性】
【００４６】
本発明は、乾燥処理装置の昇温処理時における騒音を低減する効果を奏することから、乾燥処理装置を有する写真処理装置、画像形成装置および印刷装置等に広く適用可能である。
【図面の簡単な説明】
【００４７】
【図１】本発明の一実施形態に係る写真プリントシステムの外観図。
【図２】図１の写真プリントシステムの内部構成を示す断面図。
【図３】図１の写真プリントシステムに搭載された乾燥処理装置内の構成を示す拡大図。
【図４】図３に示す乾燥処理装置における印画紙の搬送経路付近の構成を示す拡大図。
【図５】図３に示す乾燥処理装置における制御系を示すブロック図。
【符号の説明】
【００４８】
１      写真プリントシステム
２０      操作部
２１      モニタ
２２      キーボード
２３      マウス
３０      コンピュータユニット
３１      メディアリーダ
４０      フィルムスキャナ
５０      プリント部
５１      印画紙マガジン
５２      シートカッター
５３      バックプリント部
５４      プリント露光部
５５      処理槽ユニット
５５ａ    発色現像槽
５５ｂ    漂白定着槽
５５ｃ    安定処理槽
５６      コンベア
５７      圧接搬送ローラ対
５８      チャッカー式搬送ユニット
６０      乾燥処理装置
６１      圧接搬送ローラ対
６２      ターンローラ対
６３      搬送ガイド
６４      搬出ローラ対
６５      搬出孔
７０      熱源部
７１      送風ファン
７２      送風ダクト
７３      ノズル
７４      スリット（開口部）
７５      スライド（開口調整部）
７６      外気取り入れ口
７７      シャッタ（遮蔽部）
８０      制御部
【図１】
2007233145.tif 000003
【図２】
2007233145.tif 000004
【図３】
2007233145.tif 000005
【図４】
2007233145.tif 000006
【図５】
2007233145.tif 000007